(57)【要約】照明器具は、光主平面（４）内において、主光軸（３）上に光学的中心（２）を有する凹面反射器（１）を有する。スクリーン（６）は、主光軸（３）に沿って、光出射窓（５）まで延在している。反射器（１）は、主平面（４）の第１の側に、主平面（４）を超えて延在する、ファセット面が刻まれた第１の反射部（１０）を有している。第１の反射部（１０）は、光学的中心（２）を焦点とし主光軸（３）を軸とする、放物面状に曲げられていてもよい。ファセット面が刻まれた第２の反射部（２０）が、主平面（４）の他方の側に存在している。第２の反射部（２０）は、光学的中心（２）を貫く第２の軸（２２）と、光学的中心（２）に位置する焦点とを有する、放物面状に曲げられていてもよい。第２の軸（２２）は、主平面（４）外においてのみならず主平面（４）内においても、主光軸（３）に対して鋭角をなして傾けられている。この照明器具は、垂直平面内においても水平平面内においても非対称な、遮蔽された光線を発生させる。これにより、この照明器具は、車の流れと対向する方向への幹線道路の照明に使用するのに適したものとなっている。
2005524931.tif 000002
【特許請求の範囲】
【請求項１】
光主平面内に位置する主光軸上に光学的中心を有する凹面反射器と、
前記主光軸と鋭角をなし、前記光主平面と交差する光出射窓と、
前記主光軸に沿って長さを有し、前記反射器から前記光出射窓まで、前記主光軸に沿って、前記光主平面と交差して延在する反射スクリーンと、
光源が前記光学的中心の周りに存在するように、該光源を有する電気ランプを収容する手段とが設けられ、
前記反射器に、
前記主平面の第１の側に沿って、該主平面を超えて該主平面の第２の側まで延在し、前記主光軸と前記光学的中心とを規定する、ファセット面が刻まれた第１の凹面反射部と、
前記主平面の第２の側において延在し、実質的に前記光学的中心を貫き実質的に該光学的中心において前記主光軸に対して傾けられた第２の軸を有する、ファセット面が刻まれた第２の反射部とが設けられ、
すなわち、前記第２の軸が、前記主平面に投影して見ると前記主光軸と鋭角αをなすように、前記光出射窓の方向に傾けられており、
前記主平面と鋭角βをなすように、前記主平面から傾けられており、
前記第１の反射部の前記ファセット面が、前記スクリーンに沿って延在している照明器具であって、
前記第１の反射部が前記第２の反射部へと一体化しつつ、前記第１の反射部が、前記光主平面内において、前記光出射窓と鈍角γをなしていることを特徴とする照明器具。
【請求項２】
前記第１の反射部が、少なくとも、前記光出射窓が配されている平面内における前記光学的中心の垂直投影点の近傍まで延在していることを特徴とする請求項１記載の照明器具。
【請求項３】
前記第１の反射部の前記ファセット面が、少なくとも前記光主平面の近傍にコーナー点を有しており、該コーナー点が、少なくとも実質的に放物面上に位置していることを特徴とする請求項１記載の照明器具。
【請求項４】
前記第１の反射部が、実質的に前記主平面の前記第１の側において前記スクリーンの長さ全体に沿って延在していることを特徴とする請求項３記載の照明器具。
【請求項５】
前記第２の反射部の前記ファセット面が、それぞれ、前記第１の反射部から前記光出射窓に沿って実質的に前記スクリーンまで延在していることを特徴とする請求項３記載の照明器具。
【請求項６】
前記第２の反射部が、前記光出射窓と前記第２の反射部とに垂直な前記光学的中心を通る平面内に折れ点を有し、前記光出射窓内に終点を有し、該点が、少なくとも実質的に前記光学的中心と一致する焦点を有する放物面上に、少なくとも実質的に位置していることを特徴とする請求項５記載の照明器具。
【請求項７】
前記スクリーンが、鏡面反射を呈する反射成分を含む塗料コーティングを有していることを特徴とする請求項１記載の照明器具。
【請求項８】
前記反射器もまた、鏡面反射を呈する反射成分を含む塗料コーティングを有していることを特徴とする請求項７記載の照明器具。
【請求項９】
前記主平面の近傍および前記スクリーンの近傍に配されている前記第１の反射部の前記ファセット面が、鏡面反射を呈する金属で作られていることを特徴とする請求項８記載の照明器具。
【請求項１０】
鏡面反射を呈する金属の前記ファセット面が、前記反射器に締結された別個の金属体上に存在していることを特徴とする請求項９記載の照明器具。
【請求項１１】
スクリーン手段が、非反射光の横方向の射出を抑制するように、前記主平面の前記第１の側において、該主平面に沿って延在していることを特徴とする請求項１記載の照明器具。
【発明の詳細な説明】
【技術分野】
【０００１】
本発明は、
光主平面内に位置する主光軸上に光学的中心を有する凹面反射器と、
上記の主光軸と鋭角をなし、上記の光主平面と交差する光出射窓と、
上記の主光軸に沿って長さを有し、上記の反射器から光出射窓まで、上記の主光軸に沿って上記の光主平面と交差して延在する反射スクリーンと、
光源が上記の光学的中心の周りに存在するように、かかる光源を有する電気ランプを収容する手段とが設けられ、
上記の反射器に、
上記の主平面の第１の側に沿って、主平面を超えてその主平面の第２の側まで延在し、上記の主光軸と光学的中心とを規定する、ファセット面が刻まれた第１の凹面反射部と、
上記の主平面の第２の側において延在し、実質的に上記の光学的中心を貫き実質的にその光学的中心において上記の主光軸に対して傾けられた第２の軸を有する、ファセット面が刻まれた第２の反射部とが設けられ、
すなわち、上記の第２の軸が、上記の主平面に投影して見ると主光軸と鋭角αをなすように、上記の光出射窓の方向に傾けられており、
上記の主平面と鋭角βをなすように、上記の主平面から傾けられており、
上記の第１の反射部のファセット面が、上記のスクリーンに沿って延在している照明器具に関するものである。
【背景技術】
【０００２】
上記のような照明器具の１つの形態が、例示的な未公開の欧州特許出願第０１２０４０１１．９号に記載されている。
【０００３】
上記の欧州特許出願に記載された照明器具は、非対称であり、またその結果として、車の流れの方向に対向するように幹線道路を照らすのに適している。
【０００４】
上記に記載された照明器具の非対称性のため、与えられる照明器具は、道路の中央分離帯内の柱から、左側通行の車の流れのための道路の片側を照らすのに適しており、したがって、柱が道路の側方に設置されているときには、右側通行の車の流れのための道路の片側を照らすのにも適している。しかし、その場合には、道路の中央分離帯から右側通行の車の流れのための道路の片側を照らすため、または道路の側方から左側通行の車の流れのための道路の片側を照らすためには、上記の照明器具の鏡像型の形態が必要となる。
【０００５】
車の流れに対向するように射出する光線によって道路表面を照らすことは、非常に効果的である。道路表面によって反射された光は、その後、道路利用者に向かって主として上方に広がり、道路利用者は道路表面を視認できる。従来の道路照明で用いられてきた照明器具は、柱のいずれの側においても柱から下向きに射出するもの、すなわち、柱の片側において半分が道路利用者から反対方向へ向かうものである。かかる光は、一部は道路表面により拡散的に散乱されるが、一部は指向性を持って反射されて道路利用者から離れる。したがって、かかる光は、一部は道路利用者により視認されない。たとえば滑らかなアスファルト表面の場合もそうであるが、特に道路表面が濡れている場合のように、道路表面が鏡面反射を呈する場合には、道路表面からの鏡面反射がより有力となり、拡散的な散乱はより有力でなくなる。その場合、道路表面は非常に暗くなる。道路利用者自身が担持する光もまた、鏡面反射されてその道路利用者から離れていく。一方、対向するような照明方向を用いれば、道路表面が鏡面反射を呈する場合、たとえば濡れている場合には、多くの光が道路表面により道路利用者に向かって反射され、道路表面およびその性質が、良好に視認可能となる。
【０００６】
上記に記載された照明器具では、主平面の第１の側にパネルが存在する。このパネルは、スクリーンから光出射窓内へと延在するものであり、反射器を画定するものである。第２の反射部もまた凹面状であり、第１の反射部とは異なる曲率を有する。三角形のファセット面の列を伴う第３の反射部が、第１の反射部を第２の反射部に接続している。かかる照明器具は、セラミック製のランプ容器を伴う高圧メタルハライド放電ランプのような、コンパクトな光源を収容するのに適している。そのようなランプは、横からの側面図において光源が正方形状となるように、たとえば直径１２ｍｍの放電容器内で、たとえば１２ｍｍの放電アークを持ち得る。
【０００７】
上記に記載された照明器具の１つの利点として、進行方向に対向する道路照明に使用される際、１つの進行方向のための車線の上方において、中央に取り付けられる必要がなく、そのため道路を跨ぐ跨線信号台の使用が避けられ、かかる照明器具の利用は比較的安価であるという点がある。
【０００８】
しかしながら、上記に記載された照明器具の１つの欠点として、照明器具が、直接的に、かつ反射光の光線の主方向と反対方向にも（すなわち、照明装置により照らされる道路部分に、車の流れの進行方向に向かって）光を射出することを防ぎたい場合には、スクリーン手段が必要であるという点がある。そのような直接射出される光は、道路上に存在する障害物のコントラストを減少させ、そのうえ反射器により形成される光線の光度には寄与しない。加えて、そのような光がなければ、照らされた道路表面の輝度は０．５から１ｃｄ／ｍ２で十分であり得る。すなわち、比較的低いエネルギー消費となる。ところが、そのような光があると、上記の値の２倍を照準としなくてはならない。
【発明の開示】
【発明が解決しようとする課題】
【０００９】
本発明の１つの目的は、冒頭の段落で述べたような種類の照明器具であって、道路の側方に設置されて道路の片側を走る車の流れの進行方向に対向するようにその片側を均等に照らすのに適しており、かつ、反射器により形成された光線の方向と反対方向の非反射光の射出が抑制されるが、その目的のためのスクリーン手段の使用が避けられた照明器具を提供することである。
【課題を解決するための手段】
【００１０】
本発明によれば、上記の目的は、第１の反射部が第２の反射部へと一体化しつつ、第１の反射部が、光主平面内において、光出射窓と鈍角γをなすことにより達成される。
【００１１】
上記の鈍角のため、道路の側方の柱に設置された後の状態では、反射器は、比較的、収容されたランプの大きく下側まで延在する。加えて、この結果として、ランプは反射器内の比較的高い位置に配される。したがって、反射器自体が、車の流れの進行方向から見て柱の後ろ側のランプから離れた道路部分を遮蔽する。しかしながら、照明器具が柱の後ろ側の道路部分に全く光を供給しないのは、連続して設置された照明器具の間隔によっては、道路の輝度に不連続性を生じ得るので、好ましくないこともある。
【００１２】
したがって、一般的には、第１の反射部は、少なくとも、光出射窓が配されている平面内における光学的中心の垂直投影点の近傍まで延在していることが好ましい。
【００１３】
本発明に係る照明器具は、動作中において、垂直平面内においても水平平面内においても非対称な光線を提供する。一つの方向への車の流れのための道路の片側の側方の柱に取り付けられた場合の、光出射窓が少なくとも実質的に水平下向きとされ、近づいてくる車の流れの方向にスクリーンが方向付けられた状態の動作中においては、水平方向および水平方向と小さな角度（一般的には１０°までの角度）をなす下向き方向への、ランプによって直接外側に射出される光と反射後に射出される光との両方の光の射出に対して、上記のスクリーンが自然なシールドを提供する。これにより、目の眩みが防止される。反射器自体もまた、主平面に対してスクリーンが動作可能な下向き角度よりも大きな角度において、上記の遮蔽に寄与する。一般的には、スクリーンは、光出射窓と、約２０°から約２５°の間の角度をなす。
【００１４】
第１の反射部は、照明器具から比較的大きく離れた距離において、一つの方向への車の流れのための道路の片側に最大幅で入射し、照明器具に近づくにつれて、照明器具が設置されている側の道路の片側の部分を優勢に照らすために狭くなる主光線を形成する。
【００１５】
第２の反射部は、柱の近傍において上記の道路の片側を最大幅で照らし、柱からより大きく離れた距離まで、その道路の片側の反対側を照らす第２の光線を供給する。これに加えて、前もって反射されることなく収容されたランプから直接射出される光と、スクリーンにより反射された光とが存在する。
【００１６】
本発明に係る照明器具の１つの利点は、比較的広い照明範囲を有するため、ある長さの道路を照らすのに、比較的少ない照明装置、したがって比較的少ない柱で足りるという点である。
【００１７】
冒頭の段落で述べた既知の照明器具は、コンパクトなランプを収容するのに適しているが、本発明に係る照明器具は、そのようなコンパクトなランプ、または高圧ナトリウム放電ランプのような長尺形状のランプを収容することができる。１００Ｗのそのようなランプは、長さ約７０ｍｍ、直径約５ｍｍの光源を有し、１５０Ｗのランプは、長さ約７３ｍｍ、直径約６ｍｍである。高圧ナトリウム放電ランプは、約２０，０００時間の比較的長いランプ寿命と、約１２０ｌｍ／Ｗの高いランプ効率とを利点として有する。これらの高圧ナトリウム放電ランプは、比較的赤味が多く比較的青味が少ない黄橙色の光を供給し、限られた演色評価数を有する。コンパクトな高圧メタルハライド放電ランプは、約１２，０００時間の寿命と、約９５ｌｍ／Ｗのランプ効率とを有するが、たとえば３０００または４０００Ｋの色温度において、比較的高い演色評価数を有している。長尺形状のランプの利点は、それらのランプ効率のために少ない電力しか消費せず、また、それらの長い耐用寿命のために低コストで維持できるという点である。照明器具を高圧ナトリウムランプと共に用いる場合は、コンパクトなメタルハライドランプを用いる場合に比べて比較的低いランプの輝度のため、照明器具の寸法をより大きくすることが好ましい。
【００１８】
本発明に係る照明装置の１つの利点は、反射器が、その形状のために比較的大きな空間角度に亘ってランプを取り囲んでおり、そのため、発生させられた光の比較的多くの部分が、集中させられた指向性の光線として射出される点である。この結果、本照明器具は非常に効果的なものである。
【００１９】
第１の反射部のファセット面が、少なくとも光主平面の近傍にコーナー点を有しており、これらのコーナー点が、少なくとも実質的に放物面上に位置していると、良好な光の分布を得るのが容易となる。その場合、この放物面の軸は主光軸と一致し、この放物面の焦点は光学的中心と一致する。
【００２０】
第１の反射部が、実質的に主平面の第１の側においてスクリーンの長さ全体に沿って延在していると有利である。その場合、照明器具内で使用可能な反射表面の面積全体が、発生させられた光を指向性の光線として反射させるのに使用される。
【００２１】
照明器具の製造を容易にするためには、第２の反射部のファセット面が、それぞれ、第１の反射部から光出射窓に沿って実質的にスクリーンまで延在していることが好ましい。
【００２２】
均等な照明を得るためには、第２の反射部が、光出射窓と第２の反射部とに垂直な光学的中心を通る平面内に折れ点を有し、光出射窓内に終点を有することが好ましい。これらの点は、少なくとも実質的に光学的中心と一致する焦点を有する放物面上に、少なくとも実質的に位置しているものである。
【００２３】
鏡面反射あるいは実質的な鏡面反射を提供するために、反射器は、たとえば高光沢仕上げの金属または半光沢仕上げの金属から作られ得る。
【００２４】
ある好ましい実施形態では、スクリーンは、鏡面反射を呈する反射成分を含む、塗料コーティングを有している。この塗料コーティングは、拡散反射を呈する反射成分も含んでいる。そのような塗料コーティングを有する反射器を伴う照明器具は、国際公開ＷＯ０１／７５３５８に記載されている。塗料コーティングは、光透過性のバインダーを有しており、そのバインダー中に光反射性の粒子が封入されているが、バインダーの露出面には、実質的にそれら粒子は存在しない。粒子は、たとえば、ハロリン酸塩、二リン酸カルシウム、リン酸ストロンチウム、または二酸化チタンから形成される。これらの粒子は、たとえば酸化アルミニウムの顔料皮膜に覆われていてもよい。バインダーとしては、たとえば、シリコンポリマー、フルオロポリマー、またはポリアクリレートが用いられ得る。粒子は、最大でコーティングの体積の７５％を占める。コーティングの魅力的な側面は、その０．９５以上という高い反射係数であり、加えて、形成される光源の像が互いに徐々に一体化するようになす、鏡面反射と拡散反射の組合せである。
【００２５】
塗料コーティングは、スクリーンにより反射された光を受光する柱近くの道路部分における、照明の均等性を促進する。
【００２６】
高圧ナトリウム放電ランプに使用される際は、反射器が、鏡面反射を呈する金属表面を有していることが好ましい。コンパクトな高圧放電ランプが使用される場合は、ランプの高い輝度のため、スクリーンだけでなく、反射器も、鏡面反射を呈する反射成分を含む塗料コーティングを有していることが好ましい。それにより、反射器は、相当量の鏡面反射と相当量の拡散反射との両方を供給し、より大きな分散力を有することとなる。
【００２７】
コンパクトな光源の使用のために重要な、上記の実施形態のある好ましい変更例では、主平面の近傍およびスクリーンの近傍に配されている第１の反射部のファセット面が、鏡面反射を呈する金属で作られる。この変更例は、第１の反射部の一部が強い鏡面反射性を有するものとなり、比較的遠い距離において高い照度を得られるようになるという利点を有する。
【００２８】
鏡面反射を呈する金属のファセット面が、反射器に締結された別個の金属体上に存在していると、照明装置のこの実施形態の製造が容易となる。こうすると、鏡面反射を呈する反射器にコーティングを施している間、鏡面反射を呈する金属部分をシールドしておく必要がなくなる。このさらなる実施形態は、反射器に、比較的安価の光学的に低級な材料を用いてもよくなるという利点も有する。
【００２９】
本発明に係る照明器具が路肩で使用される場合には、たとえばその照明器具が比較的高い位置に設置されていたり、近づいて来る車の流れのための道路の片側が比較的狭いと、ランプにより照明器具から外部へと直接射出された反射されていない光が、道路の他方の片側に入射するという危険性がある。そうすると、かかる非反射光は、車の流れの方向に沿って道路の他方の片側に射出し、したがってその片側上に存在する障害物のコントラストを減少させる。
【００３０】
この危険性は、ある好ましい実施形態では抑制される。この実施形態では、スクリーン手段が、非反射光の横方向の射出を抑制するように、主平面の第１の側において主平面に沿って延在している。そうすると、この照明器具は、中央分離帯においてのみならず、路肩において比較的高い柱上でも、さらには道路の片側の幅が比較的狭い場合の路肩においてでも、より汎用的な用途を有するようになる。主平面に対して比較的広い角度での非反射光の射出は、これにより実際に抑制される。このスクリーン手段は、たとえば光出射窓内に存在する、たとえば１つまたは複数の薄板を含んでいてもよい。
【００３１】
反射器は、ハウジング内に収容されていてもよく、光出射窓は、たとえば平坦な透明プレート等のプレートにより封鎖されていてもよい。スクリーンを伴う反射器の形状は、このハウジングに現れていてもよい。そうすると、照明器具がほとんど風を捕らえず、比較的軽量の柱にも取付けが可能となるように、照明器具は、細身の流線形のものとなる。
【００３２】
本発明に係る照明器具は、照明器具内の二重反射が高度に防止され、かつ広い空間角度に亘って反射材料がランプを取り囲むため、高い効率を有する。
【発明を実施するための最良の形態】
【００３３】
以下、本発明に係る照明器具の実施形態が、図面に示されている。
【００３４】
図１では、照明器具は、透明プレート４１により封鎖されたハウジング４０内に、反射器１を有している。図示の照明器具は、図示の姿勢で左側通行の車の流れのために幹線道路の中央分離帯に設置されてもよいし、図の右側から近づく右側通行の車の流れのために路肩に設置されてもよい。この場合、この照明器具は少しの角度、たとえば道路側に向かって１３°から２５°、回転させられてもよい。
【００３５】
図１および図２では、凹面反射器１は、光主平面４内に位置する主光軸３上に、光学的中心２を有している。光出射窓５は、光主平面４と垂直に、主光軸３と鋭角をなし、図では２２°の角度をなしている。主光軸３に沿って長さを有する反射スクリーン６は、反射器１から光出射窓５まで、主光軸３に沿って光主平面４に垂直に延在している。また、この照明器具は、光源ｌｓが上記の光学的中心２を包囲して存在するように、光源ｌｓを有する電気ランプＬを収容する手段８を有している。図２は、高圧ナトリウム放電ランプを模式的に示した図である。
【００３６】
反射器１は、主平面４の第１の側に沿って、主平面４を超えて主平面４の第２の側まで延在し、主光軸３と光学的中心２とを規定する、ファセット面１１が刻まれた第１の凹面反射部１０を有している。
【００３７】
反射器はさらに、主平面４の第２の側において延在した、ファセット面２１が刻まれた第２の反射部２０を有している。この第２の反射部２０は、実質的に光学的中心２を貫き、実質的にその光学的中心２において主光軸３に対して傾けられた、第２の軸２２を有している。第２の軸２２は、主平面４に投影して見ると主光軸３と鋭角α（図では３３°の角度）をなすように、光出射窓５の方向に傾けられている（図１参照）。また、第２の軸２２は、主平面４と鋭角β（図では７７°の角度）をなすように、主平面４からも傾けられている（図２参照）。
【００３８】
ファセット面１１は、スクリーン６に沿って延在している。光出射窓５が水平下向きとなるようにこの照明装置が設置されると、スクリーン６を伴う反射器１は、収容されるランプが視認可能となるのを防ぎ、動作中、光が水平方向に対して０°から約１５°で射出されるのを防ぐ。
【００３９】
第１の反射部１０は、光主平面４内において、光出射窓５と鈍角γをなす。第１の反射部１０は、第２の反射部２０へと一体化している。
【００４０】
第１の反射部１０は、少なくとも、光出射窓５が配されている平面内における光学的中心２の垂直投影点の近傍まで延在している。
【００４１】
第１の反射部のファセット面１１は、少なくとも光主平面４の近傍にコーナー点を有しており、これらのコーナー点は、少なくとも実質的に放物面上に位置している。図示の実施形態におけるファセット面１１ａは、それらの上方に配されているファセット面１１とコーナー点を共有しており、それらのコーナー点は放物面上に配されている。仮にファセット面１１ａが、上記の共有のコーナー点から始まって他のファセット面１１と同一の幅を有していれば、ファセット面１１ａは、他のコーナー点においても放物面上に配されていることになる。しかしながら、ファセット面１１ａは、光出射窓の方向に延長されている。この結果、収容されたランプから発せられ、光出射窓５近傍のファセット面１１ａに入射する光は、より下向きの方向に反射され、この照明器具の近傍の道路表面を照らす。
【００４２】
図示の実施形態では、ファセット面１１ｂは、放物面上に位置しているコーナー点、すなわちそれらのファセット面１１ｂが隣接するファセット面１１と共有するコーナー点を有している。図示の実施形態における上記の放物面は、約３５ｍｍの焦点距離を有している。反射器が選択された幅を超えることを防止するため、ファセット面の長さは、図１および図２で右側に配されたコーナー点が放物面上に位置しなくなるように切り詰められる。しかしながら、ファセット面１１ｂの方向は不変である。結果として、ファセット面１１ｃは、説明中の放物面上に配されたコーナー点を有さないが、より長い焦点距離（すなわち約５４ｍｍ）を有する別の放物面上にコーナー点を有する。ファセット面１１ｄで、第１の反射部１０が完結する。
【００４３】
第１の反射部１０は、実質的に、主平面４の第１の側においてスクリーン６の長さ全体に沿って延在している。
【００４４】
図２および図３は、第２の反射部２０のファセット面２１が、それぞれ、第１の反射部１０から光出射窓５に沿って実質的にスクリーン６まで延在していることを示している。しかしながら、ある変更実施形態では、これらのファセット面２１は、複数列、たとえば３列のファセット面を形成するように、その長さ方向に分割される。このとき、各列は、隣接する列に対して、小さな角度、たとえば１から数度だけ傾けられる。しかしながら、そのようなファセット面２１の細分化は、光線にはほとんど影響を及ぼさない。
【００４５】
第２の反射部２０は、光出射窓５内の終点２５に加えて、光出射窓５と第２の反射部２０とに垂直な光学的中心２を通る平面内に折れ点２４を有することが、光の分布にとって好ましい。これらの点は、少なくとも実質的に光学的中心２と一致する焦点２３を有する放物面上に、少なくとも実質的に位置している。
【００４６】
スクリーン６は、鏡面反射を呈する反射成分を含む、塗料コーティングを有している。図示の実施形態では、反射器１は、鏡面反射を呈する半光沢性アルミニウムの金属表面を有している。
【００４７】
図３では、図１および図２の要素に対応する要素は、同一の参照番号を付されている。図３の反射器１は、図１および図２の反射器１と同一の形状を有している。
【００４８】
この実施形態では、スクリーン６だけでなく、第１の反射部１０および第２の反射部２０も、鏡面反射を呈する反射成分を含んだ塗料コーティングを有している。このコーティングは、体積比にして７５％の光透過性シリコーン・バインダーと、体積比にして２５％の、酸化アルミニウム被覆を伴う二酸化チタンの光反射性粒子とを含んでいる。コーティングの露出面には、実質的に粒子は存在しない。二酸化チタンと酸化アルミニウムとは、異なる屈折率、すなわち約２．３２と１．６３との屈折率を有しており、それにより塗料の鏡面反射がさらに強められる。
【００４９】
主平面４およびスクリーン６の近傍に配されている第１の反射部１０のファセット面１１”は、鏡面反射を呈する金属から作られている。この金属としては、たとえばアルミニウム、アルマイト処理されたアルミニウム、高光沢性アルミニウムが用いられるが、図３では、半光沢性アルミニウムを用いている。
【００５０】
鏡面反射を呈する金属のファセット面１１”は、別個の金属体１２上に存在している。この金属体１２は、図では反射器１の開口を通された後に実質的に曲げられまたは捻られた金属体１２の舌片により、反射器１に締結されている。
【００５１】
光出射窓５に隣接するファセット面１１は、反射面として塗料コーティングを有する。
【００５２】
スクリーン手段１５が、非反射光の横方向の射出を抑制するように、主平面４の第１の側において主平面４に沿って延在している。ランプＬを収容する手段８は、コンパクトな光源ｌｓを有する両頭ランプＬを収容できるように、双対構造となっている。
【００５３】
本発明に係る照明器具は、特許請求の範囲から明らかなものの他にも、上記に説明した特徴のいかなる組合せも有し得る。
【図面の簡単な説明】
【００５４】
【図１】断面で示されたハウジング内の反射器の第１の実施形態の側面図
【図２】スクリーンがない状態の、図１の直線ＩＩから見た反射器を示した図
【図３】図１の直線ＩＩＩから見た、変更形態の反射器を示した図
【図１】
2005524931.tif 000003
【図２】
2005524931.tif 000004
【図３】
2005524931.tif 000005
【国際調査報告】
2005524931.tif 000006
2005524931.tif 000007